(57)【要約】【課題】使い勝手を向上する。【解決手段】画像形成システム１は、近距離無線通信を介し接続される携帯端末４とプリンタ２とを設け、携帯端末４は、携帯端末４の傾き情報に基づき画像取得コマンドＣＭＤ１を作成する画像取得制御部４６と、画像取得コマンドＣＭＤ１をプリンタ２へ送信する近距離無線通信部４０とを具え、プリンタ２は、画像取得コマンドＣＭＤ１を携帯端末４から受信する近距離無線通信部２０と、画像取得コマンドＣＭＤ１に基づき、保存している画像ファイルＦＩ１を編集して画像ファイルＦＩ２を作成し、近距離無線通信部２０により該画像ファイルＦＩ２を携帯端末４に送信する画像編集部２８とを具える。【選択図】図８
2017195475.tif 000002
【特許請求の範囲】
【請求項１】
近距離無線通信を介し接続される携帯端末と画像形成装置とを有し、
前記携帯端末は、
前記携帯端末の傾き情報に基づき画像編集内容付きコマンドを作成する画像取得制御部と、
前記画像編集内容付きコマンドを前記画像形成装置へ送信する携帯端末通信部と
を具え、
前記画像形成装置は、
前記画像編集内容付きコマンドを前記携帯端末から受信する画像形成装置通信部と、
前記画像編集内容付きコマンドに基づき、保存している画像ファイルを編集して編集済み画像ファイルを作成し、前記画像形成装置通信部により該編集済み画像ファイルを前記携帯端末に送信する画像編集部と
を具える画像形成システム。
【請求項２】
所定のスキャナ部により原稿をスキャンし取得したスキャン画像を保存するスキャナ制御部をさらに有し、
前記画像編集部は、前記スキャン画像を編集し、前記画像形成装置通信部により前記携帯端末に送信する
請求項１に記載の画像形成システム。
【請求項３】
前記画像形成装置は、
前記画像編集内容付きコマンドにより示される傾き角度だけ前記スキャン画像の傾きを補正する
請求項２に記載の画像形成システム。
【請求項４】
前記画像形成装置は、
前記画像編集内容付きコマンドにより示される拡大縮小の度合いだけ前記スキャン画像の大きさを補正する
請求項２に記載の画像形成システム。
【請求項５】
前記携帯端末の前記画像取得制御部は、前記画像形成装置の前記画像形成装置通信部に前記携帯端末が近づいた際の該携帯端末における傾きに応じた前記傾き情報に基づく前記画像編集内容付きコマンドを作成する
請求項３に記載の画像形成システム。
【請求項６】
前記画像形成装置は、
前記スキャン画像を表示する表示部をさらに有する
請求項５に記載の画像形成システム。
【請求項７】
前記携帯端末の前記画像取得制御部は、前記携帯端末の上側が、前記表示部に表示された前記スキャン画像の上側に合わせられた状態で、前記画像形成装置の前記画像形成装置通信部に前記携帯端末が近づいた際の該携帯端末における傾きに応じた前記傾き情報に基づく前記画像編集内容付きコマンドを作成する
請求項６に記載の画像形成システム。
【請求項８】
前記画像形成装置は、
前記スキャナ部における読取面に対する原稿の向きに応じた傾きを補正する
請求項３に記載の画像形成システム。
【請求項９】
前記画像編集部は、前記スキャナ部によりスキャンされ未だ編集がされていない前記スキャン画像を、前記編集済み画像ファイルに先立ち前記携帯端末へ送信する
請求項３に記載の画像形成システム。
【請求項１０】
前記携帯端末は、
前記携帯端末通信部により前記画像形成装置から受信した前記スキャン画像を所定の操作表示部に表示させると共に、該操作表示部に対する利用者の操作指示を取得する操作表示制御部をさらに有し、
前記画像取得制御部は、前記操作表示制御部が取得した利用者の操作指示に応じた前記傾き情報に基づく前記画像編集内容付きコマンドを作成する
請求項９に記載の画像形成システム。
【請求項１１】
近距離無線通信を介し接続される携帯端末の傾き情報に基づき作成された画像編集内容付きコマンドを前記携帯端末から受信する画像形成装置通信部と、
前記画像編集内容付きコマンドに基づき、保存している画像ファイルを編集して編集済み画像ファイルを作成し、前記画像形成装置通信部により該編集済み画像ファイルを前記携帯端末に送信する画像編集部と
を有する画像形成装置。
【発明の詳細な説明】
【技術分野】
【０００１】
本発明は画像形成システム及び画像形成装置に関し、例えば画像形成装置で取得した画像を編集する画像形成システムに適用して好適なものである。
【背景技術】
【０００２】
従来、携帯端末の高機能化が進み、携帯端末にさまざまな情報を保存し、情報を持ち歩けるようになってきた。そこで、携帯端末を情報端末にかざすだけで、情報端末に保存されている画像や情報を携帯端末に転送するものが提案されている（例えば、特許文献１参照）。
【先行技術文献】
【特許文献】
【０００３】
【特許文献１】特開２０１４−３５６５７号公報
【発明の概要】
【発明が解決しようとする課題】
【０００４】
ここで、複合機等の画像形成装置で原稿をスキャンした画像を携帯端末に転送する場合、画像形成装置のスキャナ機能は原稿の向きを自由における反面、それを利用する設定を利用者が十分に把握する必要があるため、設定方法を十分に理解できない利用者は目的のスキャン結果が得られない場合があった。
【０００５】
本発明は以上の点を考慮してなされたもので、使い勝手を向上し得る画像形成システム及び画像形成装置を提案しようとするものである。
【課題を解決するための手段】
【０００６】
かかる課題を解決するため本発明の画像形成システムは、近距離無線通信を介し接続される携帯端末と画像形成装置とを設け、携帯端末は、携帯端末の傾き情報に基づき画像編集内容付きコマンドを作成する画像取得制御部と、画像編集内容付きコマンドを画像形成装置へ送信する携帯端末通信部とを具え、画像形成装置は、画像編集内容付きコマンドを携帯端末から受信する画像形成装置通信部と、画像編集内容付きコマンドに基づき、保存している画像ファイルを編集して編集済み画像ファイルを作成し、画像形成装置通信部により該編集済み画像ファイルを携帯端末に送信する画像編集部とを具えるようにした。
【０００７】
また本発明の画像形成装置は、近距離無線通信を介し接続される携帯端末の傾き情報に基づき作成された画像編集内容付きコマンドを携帯端末から受信する画像形成装置通信部と、画像編集内容付きコマンドに基づき、保存している画像ファイルを編集して編集済み画像ファイルを作成し、画像形成装置通信部により該編集済み画像ファイルを携帯端末に送信する画像編集部とを設けるようにした。
【０００８】
これにより本発明は、スキャンした画像の向きが利用者の期待する結果でなかった場合でも、携帯端末を操作させることで期待するスキャン画像を取得させることができる。
【発明の効果】
【０００９】
本発明は、スキャンした画像の向きが利用者の期待する結果でなかった場合でも、携帯端末を操作させることで期待するスキャン画像を取得させることができ、かくして使い勝手を向上し得る画像形成システム及び画像形成装置を実現できる。
【図面の簡単な説明】
【００１０】
【図１】画像形成システムの全体構成を示す図である。
【図２】プリンタの機能構成を示すブロック図である。
【図３】操作パネルの構成を示す図である。
【図４】原稿画像向き設定値を示す図である。
【図５】携帯端末の全体構成を示す図である。
【図６】携帯端末の機能構成を示すブロック図である。
【図７】第１の実施の形態によるスキャンＴｏモバイル処理手順（１）を示すシーケンスチャートである。
【図８】第１の実施の形態によるスキャンＴｏモバイル処理手順（２）を示すシーケンスチャートである。
【図９】第１の実施の形態によるスキャンＴｏモバイル処理手順（３）を示すシーケンスチャートである。
【図１０】スキャンＴｏモバイル画面を示す図である。
【図１１】原稿の構成を示す平面図である。
【図１２】原稿が置かれたスキャナ部のガラス面を示す平面図である。
【図１３】スキャンプレビュー画面を示す図である。
【図１４】第１の実施の形態においてプリンタに携帯端末をかざす様子を示す図である。
【図１５】第１の実施の形態による画像取得コマンドを示す図である。
【図１６】第１の実施の形態によるスキャン画像提示画面を示す図である。
【図１７】第２の実施の形態によるスキャンＴｏモバイル処理手順（１）を示すシーケンスチャートである。
【図１８】第２の実施の形態によるスキャンＴｏモバイル処理手順（２）を示すシーケンスチャートである。
【図１９】第２の実施の形態によるスキャンＴｏモバイル処理手順（３）を示すシーケンスチャートである。
【図２０】第２の実施の形態によるスキャンＴｏモバイル処理手順（４）を示すシーケンスチャートである。
【図２１】第２の実施の形態による画像取得コマンド（１）を示す図である。
【図２２】第２の実施の形態による画像取得コマンド（２）を示す図である。
【図２３】第２の実施の形態によるスキャン画像提示画面（１）を示す図である。
【図２４】第２の実施の形態によるスキャン画像提示画面（２）を示す図である。
【図２５】第２の実施の形態においてプリンタに携帯端末をかざす様子を示す図である。
【図２６】第２の実施の形態によるスキャン画像提示画面（３）を示す図である。
【発明を実施するための形態】
【００１１】
以下、発明を実施するための形態（以下実施の形態とする）について、図面を用いて説明する。
【００１２】
［１．第１の実施の形態］
［１−１．画像形成システムの全体構成］
図１に示すように、画像形成システム１は、プリンタ２及び携帯端末４により構成されており、プリンタ２及び携帯端末４が互いに通信可能となっている。プリンタ２は、複合機（ＭＦＰ:MultiFunction Peripheral）であり、原稿のスキャンを行うと共に、上位装置であるＰＣ（Personal Computer）等から印刷ジョブを受信し該印刷ジョブに基づき印刷を行う。携帯端末４は、タブレット、スマートフォンやＰＤＡ（Personal Digital Assistant）等の、利用者によって持ち運びが容易な可搬型の情報処理機器（モバイル端末）により構成されており、プリンタ２を用いて原稿のスキャンを行う利用者により操作される。プリンタ２と携帯端末４とは、例えばＮＦＣ（Near Field Communication）等の近距離無線通信により互いに無線通信を行う。
【００１３】
［１−２．プリンタの構成］
図２に示すようにプリンタ２は、制御部１０が各部（記憶部１２、スキャナ部１４、操作パネル１６及び近距離無線通信部２０）を統轄制御する。制御部１０は、図示しないＣＰＵ（Central Processing Unit）を中心に構成されており、ＲＯＭ（Read Only Memory）、ＲＡＭ（Random Access Memory）やフラッシュメモリ等でなる記憶部１２から所定のプログラムを読み出して実行することにより、各部を制御して印刷処理やスキャンＴｏモバイル処理等の種々の処理を行う。このスキャンＴｏモバイル処理は、プリンタ２において原稿をスキャンして取得した画像の画像ファイルを、利用者の要望に応じ傾き補正等の編集を行った上で、携帯端末４に送信する処理である。また制御部１０は、スキャナ制御部２２、パネル制御部２４、画像編集部２８及びコマンド処理部２６の機能を実現する。
【００１４】
記憶部１２は、原稿画像向き設定値ＶＳＴと画像ファイルＦＩ１とを記憶する。原稿画像向き設定値ＶＳＴは、スキャンに先立ち予め記憶された、スキャンの読取設定であり、スキャンする原稿の上端がプリンタ２のどの方向を向いているかを設定するものである。図４に示すように原稿画像向き設定値ＶＳＴは、選択肢として、「原稿の上端は装置の左端」であることを示す原稿上端装置左端設定ＳＴ１と、「原稿の上端は装置の上端」であることを示す原稿上端装置上端設定ＳＴ２とを有している。この原稿上端装置左端設定ＳＴ１とは、利用者がスキャナ部１４の読取面としてのガラス面１４Ｇに原稿を置くとき、原稿の上端をガラス面１４Ｇにおける利用者に対する左側に向けた状態で該原稿を表裏反転させ、原稿においてスキャンを希望する面であるスキャン面をガラス面１４Ｇに置くことを意味している。この設定が選択された場合、原稿の上端をガラス面の左側に向けた状態でスキャンを行うと、スキャナ制御部２２は、原稿の上端を上にしたスキャン画像、すなわち傾いていない（回転していない）スキャン画像を作成することができる。また原稿上端装置上端設定ＳＴ２とは、利用者がスキャナ部１４のガラス面１４Ｇに原稿を置くとき、原稿の上端をガラス面１４Ｇにおける利用者に対する奥側に向けた状態で該原稿を表裏反転させ、スキャン面をガラス面１４Ｇに置くことを意味している。この設定が選択された場合、原稿の上端をガラス面の奥側に向けた状態でスキャンを行うと、スキャナ制御部２２は、原稿の上端を上にしたスキャン画像、すなわち傾いていない（回転していない）スキャン画像を作成することができる。画像ファイルＦＩ１は、スキャナ部１４で原稿を読み込んだ画像をスキャナ制御部２２が保存したスキャン画像ファイルである。
【００１５】
スキャナ部１４は、原稿画像の読み取り機能を有しており、図示しない原稿置き台、自動原稿送り装置（ＡＤＦ:Auto Document Feeder）やリニアセンサ等が設けられている。スキャナ部１４は、スキャナ制御部２２の制御に基づき、読み取りヘッドによって原稿を光学的に走査し、その反射光や透過光の強度を測定することにより、原稿から画像を読み取り、読取画像データを生成する。スキャナ制御部２２は、スキャナ部１４を制御する機能部であり、原稿置き台に原稿が置かれたときに、スキャナ部１４の読み取り機構を駆動させ、リニアセンサが連続的に出力する読取画像のデータを取り込む。
【００１６】
図３に示すように操作パネル１６は、操作表示部１８と操作ボタン部１９とを有している。表示部としての操作表示部１８は、スキャンした読取画像や各種画面をパネル制御部２４の制御に基づき表示するＬＣＤ（Liquid Crystal Display）と、各種画面において項目の選択を入力させる位置入力装置とが一体化されたタッチパネルである。操作ボタン部１９は、物理的なボタンであり、所定の機能の実行を利用者が指示する際に押下するスタートボタンＢＳＴと 、実行中の機能の停止を利用者が指示する際に押下するストップボタンＢＳＰとが設けられている。操作表示部１８及び操作ボタン部１９は、利用者により操作された際、操作指示をパネル制御部２４へ出力する。パネル制御部２４は、操作パネル１６を制御する機能部であり、操作表示部１８及び操作ボタン部１９からの操作の検知を行うと共に、操作表示部１８に種々の画像を表示させる。またパネル制御部２４は、利用者の操作を受けてスキャナ制御部２２を制御することによりスキャンを開始させると共に、画像ファイルＦＩ１を記憶部１２から読み込むことによりスキャン画像を操作表示部１８に表示させる。
【００１７】
コマンド処理部２６は、携帯端末４へ送信するコマンドを作成し近距離無線通信部２０により携帯端末４へ送信すると共に、近距離無線通信部２０により携帯端末４から受信したコマンドを解析する。またコマンド処理部２６は、携帯端末４から受信したコマンドが画像取得コマンドであると判断した場合には、画像編集部２８を起動する。さらにコマンド処理部２６は、携帯端末４へ画像ファイルＦＩ１を転送する際には、画像転送コマンドを作成し送信する。画像編集部２８は、画像取得コマンドの内容に基づき、画像ファイルＦＩ１を編集し、編集した画像ファイルを近距離無線通信部２０により携帯端末４へ送信する。
【００１８】
近距離無線通信部２０は、操作表示部１８の裏側近傍に設けられており、例えばＮＦＣ等の近距離無線通信により携帯端末４と無線通信を行い、携帯端末４から画像取得コマンドを受信すると共に、画像転送コマンド及び画像ファイルＦＩ１を携帯端末４へ送信する。
【００１９】
［１−３．携帯端末の構成］
図５に示すように携帯端末４は、いわゆるスマートフォンであり、正面視で縦長の長方形状である箱状の端末筐体３０を中心に構成されており、この端末筐体３０の正面における、それぞれ上側に操作表示部３２が、下側にリセットボタン３４が設けられている。リセットボタン３４は、利用者に押下されると、操作指示を制御部３６へ通知する。これを受けて制御部３６は、携帯端末４で起動中であり操作表示部３２に表示させているアプリケーション画面を消去し、携帯端末４のホーム画面を操作表示部３２に表示させる。以下では、携帯端末４のうち利用者が操作表示部３２に対面する側を前側（正面側）とし、その反対を後側（背面側）とし、該前側に対面した利用者から見て左及び右をそれぞれ左側及び右側とし、さらに上側及び下側を定義して説明する。
【００２０】
この携帯端末４は、それぞれ操作表示部３２が上側でリセットボタン３４が下側となった状態、すなわち、端末筐体３０における操作表示部３２が配された上側の端部である携帯端末上部ＤＵが上方を向くと共に、端末筐体３０におけるリセットボタン３４が配された下側の端部である携帯端末下部ＤＤが下方を向いた状態、言い換えれば正面視で端末筐体３０における長辺が左右の何れにも傾いていない状態を、傾き角度が０°として設定されている。
【００２１】
図６に示すように携帯端末４は、制御部３６が各部（記憶部３８、操作表示部３２、近距離無線通信部４０及び端末角度センサ４２）を統轄制御する。制御部３６は、図示しないＣＰＵを中心に構成されており、ＲＯＭ、ＲＡＭやフラッシュメモリ等でなる記憶部３８から所定のプログラムを読み出して実行することにより、各部を制御して種々の処理を行う。また制御部３６は、操作表示制御部４４、画像取得制御部４６及びコマンド処理部４８の機能を実現する。
【００２２】
記憶部３８は、画像ファイルＦＩ２を記憶する。画像ファイルＦＩ２は、プリンタ２において読み込まれ所定の編集が行われた画像のスキャン画像ファイルをプリンタ２から受信したスキャン画像ファイルである。
【００２３】
操作表示部３２は、プリンタ２から受信した画像ファイルＦＩ２や各種画面を操作表示制御部４４の要求に基づき表示するＬＣＤと、各種画面において項目の選択を入力させる位置入力装置とが一体化されたタッチパネルである。操作表示部３２は、利用者により操作された際、操作指示を操作表示制御部４４へ出力する。操作表示制御部４４は、操作表示部３２を制御する機能部であり、操作表示部３２からの操作の検知を行うと共に、操作表示部３２に、設定情報や起動しているアプリケーション等の種々の画像を表示させる。
【００２４】
コマンド処理部４８は、プリンタ２へ送信するコマンドを作成し近距離無線通信部４０によりプリンタ２へ送信すると共に、近距離無線通信部４０によりプリンタ２から受信したコマンドを解析する。またコマンド処理部４８は、プリンタ２から画像ファイルを取得する際には、画像取得コマンドを作成し送信する。さらにコマンド処理部４８は、プリンタ２から受信したコマンドが画像転送コマンドであると判断した場合には、画像取得制御部４６に画像転送コマンドを通知する。画像取得制御部４６は、端末角度センサ４２から携帯端末４の傾き角度を取得しコマンド処理部４８に通知することによりコマンドを作成すると共に、画像転送コマンドを通知されると、近距離無線通信部４０によりプリンタ２から取得した画像ファイルＦＩ２を記憶部３８に保存する。
【００２５】
近距離無線通信部４０は、例えばＮＦＣ等の近距離無線通信によりプリンタ２と無線通信を行い、画像取得コマンドをプリンタ２へ送信すると共に、プリンタ２から画像転送コマンド及び画像ファイルＦＩ１を受信する。
【００２６】
端末角度センサ４２は、例えば加速度センサであり、それぞれ携帯端末上部ＤＵが上側を携帯端末下部ＤＤが下側を向いた状態であり且つ正面視での端末筐体３０における長辺に沿う方向が鉛直方向に沿う方向を基準とした際の鉛直方向に対する傾きを検出し、検出結果を端末傾き情報として制御部３６へ送出する。以下では、携帯端末４の正面、すなわち操作表示部３２に対面した際の時計回りへの回転角度を右方向への傾きとも呼び、反時計回りへの回転角度を左方向への傾きとも呼ぶ。
【００２７】
［１−４．スキャンＴｏモバイル処理］
［１−４−１．プリンタにおけるスキャン処理］
次に、画像形成システム１におけるスキャンＴｏモバイル処理の具体的な処理手順について、図７、図８及び図９のシーケンスチャートを用いて説明する。利用者がプリンタ２の操作パネル１６を操作することによりスキャンＴｏモバイルを実行すると、プリンタ２の制御部１０は、記憶部１２からスキャンＴｏモバイル処理プログラムを読み出して実行することによりスキャンＴｏモバイル処理手順ＲＴ１を開始し、ステップＳＰ１へ移る。
【００２８】
ステップＳＰ１において制御部１０は、図１０に示すスキャンＴｏモバイル画面ＤＩＰ１をパネル制御部２４により操作表示部１８に表示し、ステップＳＰ２へ移り、利用者の操作を待ち受ける。このスキャンＴｏモバイル画面ＤＩＰ１には、スキャンする原稿をスキャナ部１４に置くことを利用者に促すメッセージを提示するメッセージ提示部Ｓ１と、スキャンＴｏモバイル画面ＤＩＰ１を閉じるキャンセルボタンＢ１とが表示されている。利用者は、原稿のスキャンを希望する場合、スキャンする原稿をスキャナ部１４のガラス面１４Ｇに置き、スタートボタンＢＳＴ（図３）を押下する。一方利用者は、原稿のスキャンを希望しない場合、キャンセルボタンＢ１を押下する。
【００２９】
ステップＳＰ２において制御部１０は、スタートボタンＢＳＴが利用者により押下されたか否かをパネル制御部２４により判定する。ここで肯定結果が得られると、このことは利用者が原稿のスキャンを希望していることを表し、このとき制御部１０はステップＳＰ３へ移る。一方ステップＳＰ２において否定結果が得られると、このことは利用者が原稿のスキャンを希望してないことを表し、このとき制御部１０はスキャンＴｏモバイル処理手順ＲＴ１を終了する。
【００３０】
ステップＳＰ３において制御部１０は、パネル制御部２４からスキャナ制御部２２にスキャン開始を指示し、ステップＳＰ４へ移る。ステップＳＰ４において制御部１０は、記憶部１２から原稿画像向き設定値ＶＳＴをスキャナ制御部２２により取得し、ステップＳＰ５へ移る。ステップＳＰ５において制御部１０は、スキャナ部１４をスキャナ制御部２２により起動してスキャンを開始し、ステップＳＰ６へ移る。ステップＳＰ６において制御部１０は、原稿画像向き設定値ＶＳＴに従って、スキャンした画像を画像ファイルＦＩ１としてスキャナ制御部２２により記憶部１２に保存し、ステップＳＰ７へ移る。ステップＳＰ７において制御部１０は、記憶部１２に保存した画像ファイルＦＩ１のファイル名であるスキャン画像ファイル名をスキャナ制御部２２からパネル制御部２４に通知し、ステップＳＰ８へ移る。
【００３１】
このとき、ステップＳＰ４において取得した原稿画像向き設定値ＶＳＴが原稿上端装置左端設定ＳＴ１の場合において、図１１に示す原稿ＭＳを、図１２に示すようにスキャナ部１４のガラス面１４Ｇに対し、原稿ＭＳの上端をプリンタ２の奥側に配置した状態で、スキャンを開始した場合、記憶部１２に保存された画像ファイルＦＩ１は、図１３に示すスキャンプレビュー画像Ｉ１のように、平面視で反時計回りに（すなわち左に）９０°回転した画像を示す画像ファイルになる。
【００３２】
スキャナ制御部２２からパネル制御部２４がスキャン画像ファイル名を通知されると、ステップＳＰ８において制御部１０は、スキャン完了を受け付けたと判定し、ステップＳＰ９へ移る。ステップＳＰ９において制御部１０は、スキャナ制御部２２から通知された該スキャン画像ファイル名が付された画像ファイルＦＩ１を記憶部１２からパネル制御部２４により取得し、ステップＳＰ１０へ移る。
【００３３】
ステップＳＰ１０において制御部１０は、図１３に示すスキャンプレビュー画面ＤＩＰ２をパネル制御部２４により操作表示部１８に表示し、近距離無線通信部２０を作動させ、利用者の操作を待ち受ける。このスキャンプレビュー画面ＤＩＰ２には、記憶部１２から取得した画像ファイルＦＩ１の画像が表示されたスキャンプレビュー画像Ｉ１と、スキャンプレビュー画像Ｉ１により示される画像ファイルＦＩ１における画像の傾きを補正したい場合は携帯端末４の上側をスキャンプレビュー画像Ｉ１において上側としたい方向に合わせた状態でプリンタ２にかざすことを利用者に促すメッセージを提示するメッセージ提示部Ｓ２と、スキャンプレビュー画面ＤＩＰ２を閉じるキャンセルボタンＢ１とが表示されている。
【００３４】
利用者は、スキャンプレビュー画像Ｉ１を確認し、画像の傾き補正を希望する場合、把持した携帯端末４を、図１４に示すように携帯端末上部ＤＵをスキャンプレビュー画像Ｉ１において上側としたい方向に合わせて傾けた状態でプリンタ２にかざす。すなわち画像ファイルＦＩ１のように左に９０°傾いた画像の傾きを補正したい場合、携帯端末４は、携帯端末上部ＤＵを左側に９０°傾けた状態（携帯端末上部ＤＵが左側を向いた状態）で、携帯端末４をプリンタ２における近距離無線通信部２０にかざす。一方利用者は、スキャンを中断する場合、キャンセルボタンＢ１を押下する。
【００３５】
［１−４−２．携帯端末における画像取得要求処理］
ステップＳＰ２０（図８）において携帯端末４の制御部３６は、携帯端末４が利用者によりプリンタ２にかざされることにより、近距離無線通信部４０がプリンタ２の近距離無線通信部２０と通信を確立し無線通信を開始するまで待ち受け、ステップＳＰ２１へ移る。ステップＳＰ２１において制御部３６は、端末角度センサ４２から端末傾き情報を画像取得制御部４６により取得し、ステップＳＰ２２へ移る。
【００３６】
ステップＳＰ２２において制御部３６は、プリンタ２から画像の取得をするために送信するコマンドである画像取得コマンドをコマンド処理部４８により作成し、ステップＳＰ２３へ移る。この画像取得コマンドは、画像編集情報を含むものとなっている。
【００３７】
図１５に示すように、画像取得コマンドＣＭＤ１は、コマンド種類ＬＳ１、画像ファイル識別情報ＬＳ２、編集項目ＬＳ３及び編集内容ＬＳ４の情報が設定されている。コマンド種類ＬＳ１は、コマンドの種類を表しており、「画像取得」が定義されていることにより、このコマンドが、プリンタ２から画像を取得するコマンドであることを意味している。画像ファイル識別情報ＬＳ２は、画像ファイルの識別情報であり、「表示中の画像」が定義されていることにより、このコマンドが、プリンタ２の操作パネル１６に表示されている画像ファイルを指定していることを意味している。編集項目ＬＳ３は、画像ファイルの編集方法を示す項目であり、「回転」と「拡大縮小」とが規定されている。編集内容ＬＳ４は、画像ファイルの編集方法における編集内容を示す項目である。編集項目の「回転」においては、編集内容として「右９０°」が定義されていることにより、このコマンドが、画像ファイルを右に９０°回転する編集を指示するコマンドであること意味している。この回転の編集内容の角度は、端末角度センサ４２の端末傾き情報に基づき設定される。すなわち端末傾き情報が左９０°の場合は、左９０°の傾きを回転させて基準に直す回転角度として、編集内容に「右９０°」が定義される。また編集項目の「拡大縮小」においては、編集内容として「なし」が定義されていることにより、このコマンドが、画像ファイルの拡大縮小に関する編集は不要であることを指示するコマンドであること意味している。これらの編集項目ＬＳ３及び編集内容ＬＳ４をまとめて、画像を編集する情報である画像編集情報ＩＦ１とも呼ぶ。
【００３８】
ステップＳＰ２３において制御部３６は、画像取得コマンドＣＭＤ１をコマンド処理部４８から近距離無線通信部４０へ通知することにより、画像取得コマンドＣＭＤ１を近距離無線通信部２０を介しプリンタ２へ送信する。
【００３９】
［１−４−３．プリンタにおける画像編集処理］
利用者が携帯端末４をプリンタ２にかざしたことにより画像取得コマンドＣＭＤ１を近距離無線通信部２０により携帯端末４から受信すると、ステップＳＰ３０において制御部１０は、画像取得コマンドＣＭＤ１をコマンド処理部２６により解析してコマンド解析結果を取得し、ステップＳＰ３１へ移る。ステップＳＰ３１においてプリンタ２の制御部１０は、コマンド解析結果から画像編集情報ＩＦ１を画像編集部２８により取得し、ステップＳＰ３２へ移る。
【００４０】
ステップＳＰ３２において制御部１０は、画像編集情報ＩＦ１に基づき画像編集部２８により画像ファイルＦＩ１を編集し、ステップＳＰ３３へ移る。具体的に画像編集部２８は、画像編集情報ＩＦ１（図１５）として、右に９０°回転させる編集が設定されているため、画像ファイルＦＩ１を記憶部１２から読み出し、右に９０°回転させる、記憶している画像ファイルＦＩ１を編集後の画像ファイルＦＩ１に更新する。このとき画像編集部２８は、画像編集情報ＩＦ１（図１５）として、拡大縮小は行わないと設定されているため、画像ファイルＦＩ１の画像に対し拡大縮小は行わない。
【００４１】
ステップＳＰ３３において制御部１０は、携帯端末４へ画像の転送をするために送信するコマンドである画像転送コマンドをコマンド処理部２６により作成し、ステップＳＰ３４へ移る。ステップＳＰ３４において制御部１０は、画像転送コマンドをコマンド処理部２６から近距離無線通信部２０へ通知することにより、画像転送コマンドと共に編集後の画像ファイルＦＩ１を近距離無線通信部２０を介し携帯端末４へ送信する。
【００４２】
このようにプリンタ２は、スキャンプレビュー画像Ｉ１を提示することで利用者に画像の傾きやサイズ等を確認させ、スキャンプレビュー画像Ｉ１により示される画像ファイルＦＩ１の画像の傾きの補正を利用者が望んでおり携帯端末４を傾けてかざした場合、携帯端末４の傾きに応じて画像ファイルＦＩ１の画像の傾きを補正した上で、携帯端末４へ送信するようにした。
【００４３】
［１−４−４．携帯端末における画像取得処理］
画像転送コマンドと編集後の画像ファイルＦＩ１とを近距離無線通信部４０によりプリンタ２から受信すると、ステップＳＰ４０（図９）において携帯端末４の制御部３６は、画像ファイルＦＩ１を画像取得制御部４６により記憶部１２に保存し、ステップＳＰ４１へ移る。
【００４４】
ステップＳＰ４１において制御部３６は、図１６に示すスキャン画像提示画面ＤＩＰ３を操作表示制御部４４により操作表示部３２に表示し、ステップＳＰ４２へ移り、利用者の操作を待ち受ける。このスキャン画像提示画面ＤＩＰ３には、プリンタ２から取得した編集後の画像ファイルＦＩ１の画像が表示された編集後スキャン画像Ｉ２と、プリンタ２から取得した画像ファイルＦＩ１を記憶部３８から削除せずにアプリケーションを閉じる保存ボタンＢ２と、プリンタ２から取得した画像ファイルＦＩ１を記憶部３８から削除してアプリケーションを閉じるキャンセルボタンＢ３とが表示されている。利用者は、画像ファイルＦＩ１を保存することを希望する場合、保存ボタンＢ２を押下する。一方利用者は、画像ファイルＦＩ１の保存を希望しない場合、キャンセルボタンＢ３を押下する。
【００４５】
ステップＳＰ４２において制御部３６は、保存ボタンＢ２が利用者により押下されたか否かを操作表示制御部４４により判定する。ここで肯定結果が得られると、このことは利用者が画像ファイルＦＩ１の保存を希望していることを表し、このとき制御部３６はステップＳＰ４３をスキップする。一方ステップＳＰ４３において否定結果が得られると、このことは画像ファイルＦＩ１の保存を希望していないことを表し、このとき制御部３６はステップＳＰ４３へ移り、画像ファイルＦＩ１を記憶部３８から削除する。
【００４６】
このように携帯端末４は、プリンタ２に表示されたスキャンプレビュー画像Ｉ１を確認した画像ファイルＦＩ１の画像の傾きの補正を利用者が望んでおり該携帯端末４を傾けてプリンタ２にかざした場合、画像編集情報ＩＦ１を含む画像取得コマンドＣＭＤ１をプリンタ２へ送信し、該プリンタ２において画像ファイルＦＩ１に対し画像編集情報ＩＦ１で示される編集を実行させた上で編集後の画像ファイルＦＩ１をプリンタ２から受信し、利用者の希望に応じ携帯端末４に保存するようにした。このため携帯端末４は、図１６に示すように、原稿ＭＳの上方向と携帯端末４の上方向とが揃った、すなわち傾きが補正された画像ファイルＦＩ１を保存できる。
【００４７】
［１−５．効果等］
以上の構成において画像形成システム１においては、プリンタ２にスキャンプレビュー画像Ｉ１を提示することで利用者にスキャン画像の傾きやサイズ等を確認させる。また画像形成システム１は、プリンタ２に表示されたスキャンプレビュー画像Ｉ１を確認した利用者が画像ファイルＦＩ１の画像の傾きの補正を望んでおり携帯端末４を傾けてプリンタ２にかざした場合、画像編集情報ＩＦ１を含む画像取得コマンドＣＭＤ１を携帯端末４からプリンタ２へ送信する。さらに画像形成システム１は、画像取得コマンドＣＭＤ１を携帯端末４から受信したプリンタ２において、画像ファイルＦＩ１に対し画像編集情報ＩＦ１で示される編集を実行した上で編集後の画像ファイルＦＩ１を携帯端末４へ送信する。さらに画像形成システム１は、編集後の画像ファイルＦＩ１をプリンタ２から受信した携帯端末４において、利用者の希望に応じ携帯端末４に画像ファイルＦＩ１を保存するようにした。
【００４８】
このため画像形成システム１は、プリンタ２で原稿ＭＳをスキャンして携帯端末４にスキャン画像を転送する際、利用者が装置の設定を理解しておらず、スキャンした画像の向きが利用者の期待する結果でなかった場合でも、携帯端末４を操作させることで期待するスキャン画像を取得させることができ、利便性を向上できる。
【００４９】
また画像形成システム１は、利用者に対し、携帯端末４の上側をスキャンプレビュー画像Ｉ１において上側としたい方向に合わせた状態でプリンタ２にかざさせることにより、この際の携帯端末４の傾きをプリンタ２に通知するようにした。これにより画像形成システム１は、スキャンプレビュー画像Ｉ１を視認させながら利用者に直感的に画像の編集指示をさせることができる。
【００５０】
また、プリンタ２の操作パネル１６の操作表示部１８に、スキャン画像を回転させるよう編集することを表す回転ボタンを表示させ、利用者に押下させることも考えられる。しかしながらその場合、一般的に普及しているプリンタ２の操作パネル１６の操作表示部１８は、スマートフォン等である携帯端末４の操作表示部３２よりも低機能であることが多いため、プリンタ２の操作表示部１８を、解像度や描画能力等がより高機能なものにする必要があり、コストアップしてしまう。これに対しプリンタ２は、該プリンタ２自身の操作表示部１８に回転ボタン等を表示させるのではなく、携帯端末４を回転させてプリンタ２にかざさせるようにした。このためプリンタ２は、構成を従来通りに保ちコストアップを抑えつつ、普及している携帯端末４を利用して、利用者が意図した画像編集の指示を取得できる。
【００５１】
また画像形成システム１は、携帯端末４の操作表示部３２に編集後の画像ファイルＦＩ１を表示させることにより利用者に視認させ、この画像ファイルＦＩ１を記憶部３８に保存させるか否かを利用者に選択させるようにした。このため画像形成システム１は、プリンタ２から携帯端末４へ転送された画像ファイルＦＩ１が、利用者が希望するような編集結果となっていなかった場合に、該画像ファイルＦＩ１を携帯端末４には保存しないという利用者の意思を反映できる。
【００５２】
以上の構成によれば画像形成システム１は、近距離無線通信を介し接続される携帯端末４とプリンタ２とを設け、携帯端末４は、携帯端末４の傾き情報に基づき画像編集内容付きコマンドとしての画像取得コマンドＣＭＤ１を作成する画像取得制御部４６と、画像取得コマンドＣＭＤ１をプリンタ２へ送信する近距離無線通信部４０とを具え、プリンタ２は、画像取得コマンドＣＭＤ１を携帯端末４から受信する近距離無線通信部２０と、画像取得コマンドＣＭＤ１に基づき、保存している画像ファイルＦＩ１を編集して編集済み画像ファイルとしての画像ファイルＦＩ２を作成し、近距離無線通信部２０により該画像ファイルＦＩ２を携帯端末４に送信する画像編集部２８とを具えるようにした。
【００５３】
これにより画像形成システム１は、スキャンした画像の向きが利用者の期待する結果でなかった場合でも、携帯端末４を操作させることで期待するスキャン画像を取得させることができる。
【００５４】
［２．第２の実施の形態］
［２−１．画像形成システム、プリンタ及び携帯端末の構成］
図１に示すように、第２の実施の形態による画像形成システム１０１は、第１の実施の形態による画像形成システム１と比べて、それぞれプリンタ１０２がプリンタ２と異なり、携帯端末１０４が携帯端末４と異なっている。図２に示すように、第２の実施の形態によるプリンタ１０２は、第１の実施の形態によるプリンタ２と比べて、制御部１１０が制御部１０と異なっているものの、それ以外は同様に構成されている。図５及び図６に示すように、第２の実施の形態による携帯端末１０４は、第１の実施の形態による携帯端末４と比べて、制御部１３６が制御部３６と異なっているものの、それ以外は同様に構成されている。
【００５５】
［２−２．スキャンＴｏモバイル処理］
次に、画像形成システム１０１におけるスキャンＴｏモバイル処理の具体的な処理手順について、図７、図８及び図９と同じ処理を行うステップに同一符号を付した図１７、図１８、図１９及び図２０のシーケンスチャートを用いて説明する。プリンタ１０２の制御部１１０は、記憶部１２からスキャンＴｏモバイル処理プログラムを読み出して実行することによりスキャンＴｏモバイル処理手順ＲＴ２を開始し、ステップＳＰ１へ移る。以下では、スキャンＴｏモバイル処理手順ＲＴ２においてスキャンＴｏモバイル処理手順ＲＴ１（図７乃至図９）と異なるステップについて主に説明する。ステップＳＰ１からステップＳＰ１１までスキャンＴｏモバイル処理手順ＲＴ１と同様の処理を行い、制御部１１０はステップＳＰ３０（図１８）へ移る。またステップＳＰ２０及びステップＳＰ２１において制御部１３６は、スキャンＴｏモバイル処理手順ＲＴ１と同様の処理を行い、ステップＳＰ１２２（図１８）へ移る。
【００５６】
ステップＳＰ１２２において制御部１３６は、画像取得コマンドＣＭＤ２をコマンド処理部４８により作成し、ステップＳＰ２３へ移り、図２１に示す画像取得コマンドＣＭＤ２をコマンド処理部４８から近距離無線通信部４０へ通知することにより、画像取得コマンドＣＭＤ２を近距離無線通信部２０を介しプリンタ１０２へ送信する。この画像取得コマンドＣＭＤ２は、編集項目ＬＳ３の「回転」及び「拡大縮小」の両方において、編集内容ＬＳ４として「なし」が定義されていることにより、画像ファイルの回転及び拡大縮小に関する編集は不要であり、プリンタ１０２から画像を取得するコマンドであることを意味している。
【００５７】
ステップＳＰ３０からステップＳＰ３３までスキャンＴｏモバイル処理手順ＲＴ１と同様の処理を行い、制御部１１０はステップＳＰ１３４へ移る。このとき制御部１１０は、ステップＳＰ３２（図８）を行わないことにより、画像ファイルＦＩ１を、スキャンした状態のままで未編集の状態とする。ステップＳＰ１３４において制御部１１０は、画像転送コマンドをコマンド処理部２６から近距離無線通信部２０へ通知することにより、画像転送コマンドと共に未編集の画像ファイルＦＩ１を近距離無線通信部２０を介し携帯端末１０４へ送信する。
【００５８】
ステップＳＰ４０及びステップＳＰ４１（図１９）においてスキャンＴｏモバイル処理手順ＲＴ１と同様の処理を行い、制御部１３６はステップＳＰ５０へ移る。このときステップＳＰ４１において制御部１３６は、図２３に示すスキャン画像提示画面ＤＩＰ４を操作表示制御部４４により操作表示部３２に表示する。このスキャン画像提示画面ＤＩＰ４には、プリンタ１０２から取得した未編集の画像ファイルＦＩ１の画像が表示された未編集スキャン画像Ｉ３が表示されている。ステップＳＰ５０において携帯端末１０４の制御部１３６は、携帯端末１０４が利用者によりプリンタ１０２から離され遠ざかることにより、近距離無線通信部４０とプリンタ１０２の近距離無線通信部２０との通信を切断され無線通信が終了するまで待ち受け、ステップＳＰ２０へ移る。
【００５９】
利用者は、未編集スキャン画像Ｉ３を確認し、画像の傾き補正とサイズ補正を希望する場合、操作表示部３２を操作し、未編集スキャン画像Ｉ３を例えば右回りに９０°回転させると共に、任意のサイズまで拡大させる。このとき制御部１３６は、利用者が希望する、それぞれ傾き補正の角度を傾き補正情報、スキャン画像の拡大縮小の倍率を拡縮補正情報として、記憶部３８に記憶する。これにより制御部１３６は、ステップＳＰ５１へ移り、図２４に示すスキャン画像提示画面ＤＩＰ５を操作表示制御部４４により操作表示部３２に表示する。このスキャン画像提示画面ＤＩＰ５には、未編集スキャン画像Ｉ３から、利用者の操作により該利用者の希望する状態のスキャン画像となった編集操作後画像Ｉ４が表示されている。利用者は、把持し一旦プリンタ１０２から離した携帯端末１０４を、図２５に示すようにプリンタ１０２に再びかざす。
【００６０】
ステップＳＰ２０において携帯端末１０４の制御部１３６は、携帯端末１０４が利用者によりプリンタ１０２にかざされることにより、近距離無線通信部４０がプリンタ１０２の近距離無線通信部２０と通信を確立し無線通信を開始するまで待ち受け、ステップＳＰ１２１へ移る。ステップＳＰ１２１において制御部１３６は、記憶部３８からそれぞれ傾き補正情報及び拡縮補正情報を画像取得制御部４６により取得し、ステップＳＰ２２へ移る。
【００６１】
ステップＳＰ２２及びステップＳＰ２３において制御部１３６はスキャンＴｏモバイル処理手順ＲＴ１と同様の処理を行う。このとき制御部１３６は、ステップＳＰ２３において、図２２に示す画像取得コマンドＣＭＤ３をコマンド処理部４８から近距離無線通信部４０へ通知することにより、画像取得コマンドＣＭＤ３を近距離無線通信部２０を介しプリンタ１０２へ送信する。この画像取得コマンドＣＭＤ３は、編集項目ＬＳ３の「回転」において編集内容ＬＳ４として「右９０°」が、編集項目ＬＳ３の「拡大縮小」において編集内容ＬＳ４として「２０％拡大」が定義されていることにより、画像ファイルを右に９０°回転すると共に２０％拡大する編集を指示するコマンドであること意味している。
【００６２】
利用者が携帯端末１０４をプリンタ１０２にかざしたことにより画像取得コマンドＣＭＤ３を近距離無線通信部２０により携帯端末１０４から受信すると、ステップＳＰ１３０（図２０）において制御部１１０は、画像取得コマンドＣＭＤ３をコマンド処理部２６により解析してコマンド解析結果を取得し、ステップＳＰ１３１へ移る。ステップＳＰ１３１においてプリンタ１０２の制御部１１０は、コマンド解析結果から画像編集情報ＩＦ１を画像編集部２８により取得し、ステップＳＰ１３２へ移る。
【００６３】
ステップＳＰ１３２において制御部１１０は、画像編集情報ＩＦ１に基づき画像編集部２８により画像ファイルＦＩ１を編集し、ステップＳＰ３３へ移る。具体的に画像編集部２８は、画像編集情報ＩＦ１（図２２）として、右に９０°回転させ且つ２０％拡大する編集が設定されているため、画像ファイルＦＩ１を記憶部１２から読み出し、右に９０°回転させると共に２０％拡大し、記憶している画像ファイルＦＩ１を編集後の画像ファイルＦＩ１に更新する。ステップＳＰ３３及びステップＳＰ３４において制御部１１０はスキャンＴｏモバイル処理手順ＲＴ１と同様の処理を行う。
【００６４】
ステップＳＰ４０からステップＳＰ４３まで携帯端末１０４の制御部１３６はスキャンＴｏモバイル処理手順ＲＴ１と同様の処理を行う。このときステップＳＰ４１において制御部１３６は、図２６に示すスキャン画像提示画面ＤＩＰ１０３を操作表示制御部４４により操作表示部３２に表示する。このスキャン画像提示画面ＤＩＰ１０３は、スキャン画像提示画面ＤＩＰ３と同様に構成されている。編集後スキャン画像Ｉ１０２は、未編集スキャン画像Ｉ３（図２３）が、編集操作後画像Ｉ４（図２４）に示したような画像編集指示に基づき画像編集されたものとなっている。
【００６５】
このように携帯端末１０４は、プリンタ１０２から一旦取得して操作表示部３２に表示させた未編集スキャン画像Ｉ３を確認した利用者が画像補正を望んでおり、操作表示部３２を操作した上で携帯端末１０４をプリンタ１０２にかざした場合、画像編集情報ＩＦ１を含む画像取得コマンドＣＭＤ３をプリンタ１０２へ送信し、該プリンタ１０２において画像ファイルＦＩ１に対し画像編集情報ＩＦ１で示される編集を実行させた上で編集後の画像ファイルＦＩ１をプリンタ１０２から受信し、利用者の希望に応じ携帯端末１０４に保存するようにした。このため画像形成システム１０１は、携帯端末１０４の操作表示部３２に表示させた未編集スキャン画像Ｉ３を利用者に視認させつつ該操作表示部３２を操作させることで、直感的に画像編集指示をさせることができる。
【００６６】
また携帯端末１０４は、未編集スキャン画像Ｉ３を回転させるように予め操作表示部３２を操作させて保存した傾き補正情報を、携帯端末１０４がプリンタ１０２にかざされた際に、携帯端末１０４からプリンタ１０２へ送信するようにした。このため画像形成システム１０１は、画像形成システム１と比べ、携帯端末１０４をプリンタ１０２にかざす際に、該携帯端末１０４を傾ける手間を利用者に強いるようにしなくできる。
【００６７】
［３．他の実施の形態］
なお上述した実施の形態においては、基準に対し９０°傾いた画像を補正する場合について述べた。本発明はこれに限らず、基準に対し１８０°傾いた、すなわち上下が逆さになった画像を補正しても良い。
【００６８】
また上述した第２の実施の形態においては、傾き補正とサイズ補正とを行う場合について述べた。本発明はこれに限らず、例えばトリミング開始座標と画像サイズとを指定することによりトリミングを行っても良い。
【００６９】
さらに上述した第１の実施の形態においては、プリンタ２において原稿ＭＳをスキャンして取得した画像の画像ファイルＦＩ１を編集する場合に本発明を適用する場合について述べた。本発明はこれに限らず、プリンタ２が外部から取得した画像ファイル等、種々の手段により取得した画像ファイルを編集する場合に本発明を適用しても良い。第２の実施の形態においても同様である。
【００７０】
さらに上述した第２の実施の形態においては、未編集スキャン画像Ｉ３を確認した利用者が一旦プリンタ１０２から携帯端末１０４を遠ざけた上で操作表示部３２を操作し、傾き補正と拡大縮小補正との指示を行う場合について述べた。本発明はこれに限らず、携帯端末１０４の操作表示部３２を操作してサイズ補正の指示を行った上で、第１の実施の形態のように携帯端末１０４を任意の角度で傾けてプリンタ１０２へかざすことにより拡大縮小補正を行っても良い。
【００７１】
さらに上述した第１の実施の形態においては、スキャンＴｏモバイル処理手順ＲＴ１のステップＳＰ３２（図８）とスキャンＴｏモバイル処理手順ＲＴ２のステップＳＰ１３２（図１９）において、記憶している画像ファイルＦＩ１を編集後の画像ファイルＦＩ１に更新する場合について述べた。本発明はこれに限らず、プリンタ２又は１０２に記憶している画像ファイルＦＩ１は編集後の画像ファイルＦＩ１に更新しなくても良い。
【００７２】
さらに上述した第１の実施の形態においては、画像取得コマンドＣＭＤ１（図１５）における編集項目ＬＳ３の「回転」において、編集内容ＬＳ４として、画像ファイルを回転させる回転方向（例えば右９０°）を指示する場合について述べた。本発明はこれに限らず、編集内容ＬＳ４として、端末傾き情報（例えば左９０°）をそのまま定義しても良い。第２の実施の形態においても同様である。
【００７３】
さらに上述した実施の形態においては、スマートフォンやＰＤＡ等により携帯端末４を構成する場合について述べたが、本発明はこれに限らず、利用者により持ち運びが容易であり且つプリンタ２から画像ファイルを受信する種々の装置であって良い。
【００７４】
さらに上述した実施の形態においては、プリンタ２と携帯端末４とがＮＦＣにより通信を行う場合について述べた。本発明はこれに限らず、ＩＥＥＥ（Institute of Electrical and Electronics Engineers）８０２．３ｕ／ａｂやＩＥＥＥ８０２．１１ａ／ｂ／ｇ／ｎ等の規格に準じた無線や、電磁誘導を用いた通信等、種々の通信手段を介して接続しても良い。
【００７５】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００７６】
さらに上述した実施の形態においては、複合機であるプリンタに本発明を適用する場合について述べた。本発明はこれに限らず、例えばスキャナ、コピー機、ＦＡＸ機等の種々の機器に本発明を適用しても良い。
【００７７】
さらに上述した実施の形態においては、画像取得制御部としての画像取得制御部４６と、携帯端末通信部としての近距離無線通信部４０とを有する携帯端末としての携帯端末４と、画像形成装置通信部としての近距離無線通信部２０と、画像編集部としての画像編集部２８とを有する画像形成装置としてのプリンタ２とによって、画像形成システムとしての画像形成システム１を構成する場合について述べた。本発明はこれに限らず、その他種々の構成でなる画像取得制御部と、携帯端末通信部とを有する携帯端末と、画像形成装置通信部と、画像編集部とを有する画像形成装置とによって、画像形成システムを構成しても良い。
【００７８】
さらに上述した実施の形態においては、画像形成装置通信部としての近距離無線通信部２０と、画像編集部としての画像編集部２８とによって、画像形成装置としてのプリンタ２を構成する場合について述べた。本発明はこれに限らず、その他種々の構成でなる画像形成装置通信部と、画像編集部とによって、画像形成装置を構成しても良い。
【産業上の利用可能性】
【００７９】
本発明は、プリンタに画像を印刷させるコンピュータの他、イメージスキャナやファクシミリ装置、或いは複写機等、画像に関する種々の処理を行う種々の電子機器でも利用できる。
【符号の説明】
【００８０】
１、１０１……画像形成システム、２、１０２……プリンタ、４、１０４……携帯端末、１０……制御部、１２……記憶部、１４……スキャナ部、１４Ｇ……ガラス面、１６……操作パネル、１８……操作表示部、１９……操作ボタン部、ＢＳＴ……スタートボタン、ＢＳＰ……ストップボタン、２０……近距離無線通信部、２２……スキャナ制御部、２４……パネル制御部、２６……コマンド処理部、２８……画像編集部、ＶＳＴ……原稿画像向き設定値、ＳＴ１……原稿上端装置左端設定、ＳＴ２……原稿上端装置上端設定、ＦＩ１……画像ファイル、ＦＩ１……画像ファイル、３０……端末筐体、３２……操作表示部、３４……リセットボタン、ＤＵ……携帯端末上部、ＤＤ……携帯端末下部、３６……制御部、３８……記憶部、４０……近距離無線通信部、４２……端末角度センサ、４４……操作表示制御部、４６……画像取得制御部、ＦＩ２……画像ファイル、ＤＩＰ１……スキャンＴｏモバイル画面、Ｓ１……メッセージ提示部、Ｂ１……キャンセルボタン、ＤＩＰ２……スキャンプレビュー画面、Ｉ１……スキャンプレビュー画像、Ｂ１……キャンセルボタン、Ｓ１……メッセージ提示部、ＤＩＰ３、ＤＩＰ１０３……スキャン画像提示画面、Ｉ２、Ｉ１０２……編集後スキャン画像、Ｂ２……保存ボタン、Ｂ３……キャンセルボタン、ＤＩＰ４……スキャン画像提示画面、Ｉ３……未編集スキャン画像、ＤＩＰ５……スキャン画像提示画面、Ｉ４……編集操作後画像、ＭＳ……原稿、ＣＭＤ１、ＣＭＤ２……画像取得コマンド、ＬＳ１……コマンド種類、ＬＳ２……画像ファイル識別情報、ＩＦ１……画像編集情報、ＬＳ３……編集項目、ＬＳ４……編集内容。
【図１】
2017195475.tif 000003
【図２】
2017195475.tif 000004
【図３】
2017195475.tif 000005
【図４】
2017195475.tif 000006
【図５】
2017195475.tif 000007
【図６】
2017195475.tif 000008
【図７】
2017195475.tif 000009
【図８】
2017195475.tif 000010
【図９】
2017195475.tif 000011
【図１０】
2017195475.tif 000012
【図１１】
2017195475.tif 000013
【図１２】
2017195475.tif 000014
【図１３】
2017195475.tif 000015
【図１４】
2017195475.tif 000016
【図１５】
2017195475.tif 000017
【図１６】
2017195475.tif 000018
【図１７】
2017195475.tif 000019
【図１８】
2017195475.tif 000020
【図１９】
2017195475.tif 000021
【図２０】
2017195475.tif 000022
【図２１】
2017195475.tif 000023
【図２２】
2017195475.tif 000024
【図２３】
2017195475.tif 000025
【図２４】
2017195475.tif 000026
【図２５】
2017195475.tif 000027
【図２６】
2017195475.tif 000028